(57)【要約】【課題】移動体センサの取り付け位置が悪かったり外出の準備に手間取って時間を要しても、誤警報が生じることを防止可能な住宅監視システムを提供する。【解決手段】主制御装置２００は、戸別装置１１〜１ｎから通知される移動体センサ１０１の検出結果や在／不在スイッチ１０２の設定を表示部２０１に表示する。センサ制御部１０３は、時刻を計時する機能を備えており、予め設定された時間が経過したり、あるいは在／不在スイッチ１０２の設定が変更されると、安否判定処理にしたがって、移動体センサ１０１の検出結果と在／不在スイッチ１０２の設定に基づいて住人の安否を判定し、この判定結果を主制御装置２００に通知する。また、上記安否判定処理では、在／不在スイッチ１０２が「不在」に設定されると、一定時間ｔ２が経過した後に不審者の侵入の監視を開始するようにしたものである。【選択図】    図１
2005011223.tif 000002
【特許請求の範囲】
【請求項１】
住宅内で動きのあるものを検出する検出手段と、
前記検出手段が所定時間内に動きのあるものを検出しない場合に、住人の異常を報知する報知手段とを具備することを特徴とする住宅監視システム。
【請求項２】
さらに、住宅内に設置され、住人の在宅／不在宅を設定する在宅設定手段を備え、
前記報知手段は、前記在宅設定手段で在宅の設定がなされ、かつ前記検出手段が所定時間内に動きのあるものを検出しない場合に、住人の異常を報知することを特徴とする請求項１に記載の住宅監視システム。
【請求項３】
前記報知手段は、前記在宅設定手段で不在宅の設定がなされ、かつ前記検出手段が動きのあるものを検出した場合に、不審者の侵入を報知することを特徴とする請求項２に記載の住宅監視システム。
【請求項４】
住宅内に設置され、住人の在宅／不在宅を設定する在宅設定手段と、
前記住宅内で動きのあるものを検出する検出手段と、
前記在宅設定手段で在宅の設定がなされ、かつ前記検出手段が第１の時間内に動きのあるものを検出しない場合に、住人の異常を報知する第１の報知手段と、
前記在宅設定手段で不在宅の設定がなされ、かつこの設定がなされてから第２の時間が経過した後に前記検出手段が動きのあるものを検出した場合に、不審者の侵入を報知する第２の報知手段とを具備することを特徴とする住宅監視システム。
【請求項５】
前記在宅設定手段は、住宅の解錠／施錠と連動し、解錠時には在宅の設定を行い、一方、施錠時には不在宅の設定を行うことを特徴とする請求項２乃至請求項４のいずれかに記載の住宅監視システム。
【発明の詳細な説明】
【０００１】
【発明の属する技術分野】
この発明は、例えば集合住宅等に設置され、高齢者等の住人に生じうる異常を検出する住宅監視システムに関する。
【０００２】
【従来の技術】
周知のように、従来の住宅監視システムは、高齢者が居住する集合住宅に移動体センサを設置しておき、住人の動きが所定時間以上検出できない場合に、住人に異常が生じた可能性があるものとして検出し、管理センタに常駐する管理者が対応するようになっていた。また住人は外出する際には、在／不在スイッチを「不在」に設定し、これにより管理センタに誤警報が生じないようにしていた（例えば、特許文献１参照）。
【０００３】
しかしながら、上記構成による従来の住宅監視システムでは、移動体センサの取り付け位置が悪かったり、在／不在スイッチを「不在」に設定した後に、外出の準備に手間取って時間を要してしまうと、管理センタに誤警報が生じてしまうという問題があった。特に、動作が緩慢な高齢者の住宅を対象とした場合、誤警報が頻発してしまっていた。
【０００４】
【特許文献１】
特開平５−２５０５７６公報（第２−３頁、図１）。
【０００５】
【発明が解決しようとする課題】
従来の住宅監視システムでは、在／不在スイッチを「不在」に設定し、これにより管理センタに誤報が生じないようにしているが、在／不在スイッチを「不在」に設定した後に、外出の準備に手間取って時間を要してしまうと、管理センタに誤警報が生じてしまうという問題があった。また移動体センサの取り付け位置によっても同様の問題が生じうる。
【０００６】
この発明は上記の問題を解決すべくなされたもので、移動体センサの取り付け位置が悪かったり、外出の準備に手間取って時間を要しても、管理センタに誤警報が生じることを防止可能な住宅監視システムを提供することを目的とする。
【０００７】
【課題を解決するための手段】
上記の目的を達成するために、この発明は、住宅内に設置され、住人の在宅／不在宅を設定する在宅設定手段と、住宅内で動きのあるものを検出する検出手段と、在宅設定手段で在宅の設定がなされ、かつ検出手段が第１の時間内に動きのあるものを検出しない場合に、住人の異常を報知する第１の報知手段と、在宅設定手段で不在宅の設定がなされ、かつこの設定がなされてから第２の時間が経過した後に検出手段が動きのあるものを検出した場合に、不審者の侵入を報知する第２の報知手段とを具備して構成するようにした。
【０００８】
上記構成の住宅監視システムでは、在宅設定手段で在宅の設定がなされ、かつ検出手段が第１の時間内に動きのあるものを検出しない場合に、住人の異常を報知し、一方、在宅設定手段で不在宅の設定がなされ、かつこの設定がなされてから第２の時間が経過した後に検出手段が動きのあるものを検出した場合に、不審者の侵入を報知するようにしている。
【０００９】
したがって、上記構成の住宅監視システムによれば、在宅設定手段で不在宅の設定がなされた後に、外出の準備に手間取ったり、検出手段の取り付け位置が悪く検出手段の監視範囲を往来しても、第２の時間が経過しなければ、不審者の侵入を報知が行われないので、誤警報が生じてしまう可能性を著しく抑制することができる。
【００１０】
【発明の実施の形態】
以下、図面を参照して、この発明の一実施形態について説明する。
図１は、この発明の一実施形態に係わる住宅監視システムの構成を示すものである。ここでは、集合住宅ＡＭに適用した場合を例に挙げて説明するが、複数の戸建て住宅に適用することも可能である。
【００１１】
この住宅監視システムは、各住宅に設置される戸別装置１１〜１ｎと、管理人室に設置される主制御装置２００とを備え、戸別装置１１〜１ｎは専用の回線により主制御装置２００に収容されている。
戸別装置１１〜１ｎは、それぞれ移動体センサ１０１と、在／不在スイッチ１０２と、センサ制御部１０３とを備える。
【００１２】
移動体センサ１０１は、各住宅内で、人間が放つ赤外線を検出して住人の動きのあるものを検出するもので、この検出によって得た「動き」のある／なしの情報をセンサ制御部１０３に通知する。必要に応じて、１つの住宅内に複数設置してもよい。
【００１３】
在／不在スイッチ１０２は、住人によって切替え操作されるスイッチで、在宅時には「在」に、外出時には「不在」に設定され、この設定はセンサ制御部１０３に通知される。
【００１４】
センサ制御部１０３は、時刻を計時する機能を備えており、予め設定された時間が経過したり、あるいは在／不在スイッチ１０２の設定が変更されると、後述する安否判定処理にしたがって、移動体センサ１０１の検出結果と在／不在スイッチ１０２の設定に基づいて住人の安否を判定し、この判定結果を主制御装置２００に通知する。なお、移動体センサ１０１の検出結果や、在／不在スイッチ１０２の設定については、逐次主制御装置２００に通知する。
【００１５】
主制御装置２００は、各住宅の状況を表示する表示部２０１と、異常の発生を管理人に報知する警報部２０２と、戸別装置１１〜１ｎから通知される情報に基づいて、当該主制御装置２００の各部を統括して制御する制御部２０３とを備える。
【００１６】
次に、上記構成の住宅監視システムの動作について説明する。図２は、センサ制御部１０３の動作を説明するためのフローチャートで、各戸別装置１１〜１ｎのセンサ制御部１０３が以下に説明するような安否判定処理を実施する。この安否判定処理は、予め設定した時刻が到来することで定期的に実施されたり、あるいは在／不在スイッチ１０２の設定が切り替えられると開始される。なお、主制御装置２００は、この処理に並行して制御部２０３が、戸別装置１１〜１ｎから通知される移動体センサ１０１の検出結果や在／不在スイッチ１０２の設定を表示部２０１に表示する。
【００１７】
まず、ステップ２ａにおいてセンサ制御部１０３は、在／不在スイッチ１０２の設定が「在」か「不在」かを判定する。ここで、「在」に設定されている場合にはステップ２ｂに移行し、一方、「不在」に設定されている場合にはステップ２ｆに移行する。
【００１８】
ステップ２ｂにおいてセンサ制御部１０３は、タイマＴ１を起動し計時を開始し、ステップ２ｃに移行する。なお、ここですでに、タイマＴ１が起動されて計時中の場合には、リセット動作を行い計時を再開する。
【００１９】
ステップ２ｃにおいてセンサ制御部１０３は、移動体センサ１０１の検出結果を参照し、住宅内で動きのあるものを検出したか否かを判定する。ここで、動きのあるものを検出した場合にはステップ２ｂに移行し、一方、動きのあるものを検出していない場合にはステップ２ｄに移行する。
【００２０】
ステップ２ｄにおいてセンサ制御部１０３は、ステップ２ｂにて起動したタイマＴ１の経過時間がｔ１以上か否かを判定する。ここで、経過時間がｔ１以上の場合には、ステップ２ｅに移行し、一方、経過時間がｔ１未満の場合には、ステップ２ｃに移行する。
【００２１】
ステップ２ｅにおいてセンサ制御部１０３は、例えば住人が倒れるなど、住人に異常が生じたものと見なして、主制御装置２００に対して住人異常の発生を通知し、当該処理を終了する。これに対して主制御装置２００では、制御部２０３が、センサ制御部１０３から上記通知を受けると、該当する住宅を示す識別情報に対応づけて、住人に異常が生じた旨を示す表示を表示部２０１に行うとともに、警報部２０２を動作制御して、音や光などにより管理人に対して住人に異常が生じた旨を報知する。
【００２２】
一方、ステップ２ｆにおいてセンサ制御部１０３は、タイマＴ２を起動し計時を開始し、ステップ２ｇに移行する。
ステップ２ｇにおいてセンサ制御部１０３は、ステップ２ｆにて起動したタイマＴ２の経過時間がｔ２以上か否かを判定する。ここで、経過時間がｔ２以上の場合には、ステップ２ｈに移行し、一方、経過時間がｔ２未満の場合には、再びステップ２ｇに移行して待機する。
【００２３】
ステップ２ｈにおいてセンサ制御部１０３は、移動体センサ１０１の検出結果を参照し、住宅内で動きのあるものを検出したか否かを判定する。ここで、動きのあるものを検出した場合にはステップ２ｉに移行し、一方、動きのあるものを検出していない場合には再びステップ２ｈに移行して動き検出を行う。
【００２４】
ステップ２ｉにおいてセンサ制御部１０３は、住宅内に不審者が侵入したものと見なして、主制御装置２００に対して不審者侵入の発生を通知し、当該処理を終了する。これに対して主制御装置２００では、制御部２０３が、センサ制御部１０３から上記通知を受けると、該当する住宅を示す識別情報に対応づけて、不審者侵入が生じた旨を示す表示を表示部２０１に行うとともに、警報部２０２を動作制御して、音や光などにより管理人に対して不審者侵入が生じた旨を報知する。
【００２５】
以上のように、上記構成の住宅監視システムでは、在／不在スイッチ１０２が「不在」に設定されると、一定時間ｔ２が経過した後に不審者の侵入の監視を開始するようにしている。
【００２６】
したがって、上記構成の住宅監視システムによれば、在／不在スイッチ１０２を「不在」に設定した後に、外出の準備に手間取ったり、移動体センサ１０１の取り付け位置が悪く上記センサの監視範囲を往来しても、猶予時間ｔ２が設けられているので、主制御装置２００に誤警報が生じてしまう可能性を著しく抑制することができる。
【００２７】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００２８】
その一例として例えば、上記実施の形態では、図２に示した安否判定処理は、各戸別装置１１〜１ｎのセンサ制御部１０３が実行するようにして、その判定結果を制御部２０３に通知するようにしたが、これに代わって例えば、戸別装置１１〜１ｎが移動体センサ１０１の検出結果や在／不在スイッチ１０２の設定を逐一制御部２０３に通知し、これらの情報に基づいて、上記安否判定処理を制御部２０３が実行するようにしてもよい。
【００２９】
また、戸別装置１１〜１ｎは専用の回線により主制御装置２００に収容されるものとしたが、これに代わって例えば、戸別装置１１〜１ｎおよび主制御装置２００に有線網に収容される電話機や、携帯電話機などの無線接続を行う無線通信機を備え、電話網を通じて戸別装置１１〜１ｎと主制御装置２００とが通信するようにしてもよい。
【００３０】
また有線あるいは無線のＬＡＮで収容するようにしてもよい。また電話網に限らず、インターネットなどの通信網を利用して、戸別装置１１〜１ｎと主制御装置２００とを接続するようにしてもよい。
さらに、上記実施の形態では、住人異常の発生や不審者侵入の発生を管理人室で報知するようにしたが、監視対象となる住宅外であれば、通路やロビーなどの共用スペースであってもよい。
【００３１】
そしてまた、在／不在スイッチ１０２は、住宅の解錠／施錠と連動して動作し、解錠時には在宅の設定がなされ、一方、施錠時には不在宅の設定がなされるようにしてもよい。これによれば、在宅／不在宅の設定を住人が忘れることがない。
その他、この発明の要旨を逸脱しない範囲で種々の変形を施しても同様に実施可能であることはいうまでもない。
【００３２】
【発明の効果】
以上述べたように、この発明では、在宅設定手段で在宅の設定がなされ、かつ検出手段が第１の時間内に動きのあるものを検出しない場合に、住人の異常を報知し、一方、在宅設定手段で不在宅の設定がなされ、かつこの設定がなされてから第２の時間が経過した後に検出手段が動きのあるものを検出した場合に、不審者の侵入を報知するようにしている。
【００３３】
したがって、この発明によれば、在宅設定手段で不在宅の設定がなされた後に、外出の準備に手間取ったり、検出手段の取り付け位置が悪く検出手段の監視範囲を往来しても、第２の時間が経過しなければ、不審者の侵入を報知が行われないので、誤警報が生じてしまう可能性を著しく抑制することが可能な住宅監視システムを提供できる。
【図面の簡単な説明】
【図１】この発明に係わる住宅監視システムの一実施形態の構成を示す回路ブロック図。
【図２】図１に示した住宅監視システムの安否判定処理を説明するためのフローチャート。
【符号の説明】
１１〜１ｎ…戸別装置、１０１…移動体センサ、１０２…在／不在スイッチ、１０３…センサ制御部、２００…主制御装置、２０１…表示部、２０２…警報部、２０３…制御部。
【図１】
2005011223.tif 000003
【図２】
2005011223.tif 000004